(57)【要約】【課題】ポンプダウンモードの実行時間を短縮し運転効率を向上させることができる冷凍サイクル装置及び冷蔵庫を提供する。【解決手段】圧縮機２０の駆動により凝縮器２１により凝縮された冷媒を、第１冷却器１０に流す第１冷却モードと、第２冷却器１５に流す第２冷却モードと、第１冷却モードおよび第２冷却モードのうちの少なくとも一方の冷却モードを実行するに先立ち、第１冷却器１０及び第２冷却器１５への冷媒供給を遮断した状態で圧縮機２０を駆動するポンプダウンモードとを実行する冷凍サイクル装置において、ポンプダウンモードにおける圧縮機２０の運転周波数を、当該ポンプダウンモードに移行する直前の圧縮機２０の運転周波数より大きく設定する。【選択図】        図２
2016050753.tif 000002
【特許請求の範囲】
【請求項１】
能力可変型の圧縮機と、前記圧縮機から吐出される冷媒を受ける凝縮器と、前記凝縮器の出口側に設けられた冷媒流路の切替弁と、前記切替弁から第１減圧装置を介して接続された第１冷却器と、前記切替弁から第２減圧装置を介して接続されかつ前記第１冷却器と並列に接続された第２冷却器とを備え、
前記第１冷却器に冷媒を流す第１冷却モードと、前記第２冷却器に冷媒を流す第２冷却モードと、前記第１冷却モードおよび前記第２冷却モードのうちの少なくとも一方の冷却モードを実行するに先立ち、前記第１冷却器及び前記第２冷却器への冷媒供給を遮断した状態で前記圧縮機を駆動するポンプダウンモードとを実行する冷凍サイクル装置において、
前記ポンプダウンモードにおける前記圧縮機の運転周波数を、当該ポンプダウンモードに移行する直前の前記圧縮機の運転周波数より大きく設定する冷凍サイクル装置。
【請求項２】
能力可変型の圧縮機と、前記圧縮機から吐出される冷媒を受ける凝縮器と、前記凝縮器の出口側に設けられた冷媒流路の切替弁と、前記切替弁から第１減圧装置を介して接続された第１冷却器と、前記切替弁から第２減圧装置を介して接続されかつ前記第１冷却器と並列に接続された第２冷却器とを備え、
前記第１冷却器に冷媒を流す第１冷却モードと、前記第２冷却器に冷媒を流す第２冷却モードと、前記第１冷却モードおよび前記第２冷却モードのうちの少なくとも一方の冷却モードを実行するに先立ち、前記第１冷却器及び前記第２冷却器への冷媒供給を遮断した状態で前記圧縮機を駆動するポンプダウンモードとを実行する冷凍サイクル装置において、
前記ポンプダウンモードにおける前記圧縮機の運転周波数を、当該ポンプダウンモードに移行する所定時間前から当該ポンプダウンモードに移行する直前までに設定された前記圧縮機の運転周波数より大きく設定する冷凍サイクル装置。
【請求項３】
前記冷凍サイクル装置の状態を検出するセンサを備え、前記センサの検出結果に基づいて前記ポンプダウンモードにおける前記圧縮機の運転周波数を決定する請求項１又は２に記載の冷凍サイクル装置。
【請求項４】
前記圧縮機の運転周波数が、所定時間継続して所定周波数以下の場合に、前記第１冷却モードおよび前記第２冷却モードのうちの少なくとも一方の冷却モードを実行するに先立ち、前記ポンプダウンモードを実行し、所定時間継続して所定周波数以下とならない場合に、前記ポンプダウンモードを実行せずに前記第１冷却モードおよび前記第２冷却モードのうちの少なくとも一方の冷却モードを実行する請求項１〜３のいずれか１項に記載の冷凍サイクル装置。
【請求項５】
請求項１〜４のいずれか１項に記載の冷凍サイクル装置を備えた冷蔵庫。
【発明の詳細な説明】
【技術分野】
【０００１】
本発明の実施形態は、冷凍サイクル装置及び冷蔵庫に関するものである。
【背景技術】
【０００２】
冷蔵庫や空気調和機などに用いられる冷凍サイクル装置では、複数の空間を冷却するため各空間に対応する複数の冷却器を設けるようにしたものが供されている。
【０００３】
この種の冷凍サイクル装置においては、第１の空間を冷却するための第１冷却器を有する第１冷媒流路と、第２の空間を冷却するための第２冷却器を有する第２冷媒流路とが並列接続されると共に、第１冷媒流路及び第２冷媒流路を切替えるための切替弁が設けられる。そして、切替弁を切替え制御することによって、凝縮器で凝縮された冷媒を第１冷媒流路に流して圧縮機に戻す第１冷却モードと、凝縮器で凝縮された冷媒を第２冷媒流路に流して圧縮機に戻す第２冷却モードとが交互に行われるようになっている。これにより、第１の空間及び第２の空間が交互に冷却される。
【０００４】
ところで、この種の冷凍サイクル装置では、第１冷却器と第２冷却器の温度差などにより一方の冷却器に冷媒が滞留することで、冷却モードの切替後しばらくの間、他方の冷却器に供給される冷媒量が不足しやすく冷却効率の低下を招くことがある。
【０００５】
これに対して、冷却モードの切り替える前に切替弁を全閉にして第１冷媒流路と第２冷媒流路を遮断した状態で圧縮機を駆動するポンプダウンモードを実行し、冷却器に滞留していた冷媒を回収し、冷却モード切替直後から適量の冷媒を供給する制御が知られている（例えば、特許文献１参照）。
【先行技術文献】
【特許文献】
【０００６】
【特許文献１】特開２０１１−８０７３１号公報
【発明の概要】
【発明が解決しようとする課題】
【０００７】
しかしながら、ポンプダウンモードの実行中は、冷却に寄与しない運転であるため、非効率である。そこで、本発明は、ポンプダウンモードの実行時間を短縮し運転効率を向上させることができる冷凍サイクル装置及び冷蔵庫を提供することを目的とする。
【課題を解決するための手段】
【０００８】
一実施形態の冷凍サイクル装置は、能力可変型の圧縮機と、前記圧縮機から吐出される冷媒を受ける凝縮器と、前記凝縮器の出口側に設けられた冷媒流路の切替弁と、前記切替弁から第１減圧装置を介して接続された第１冷却器と、前記切替弁から第２減圧装置を介して接続されかつ前記第１冷却器と並列に接続された第２冷却器とを備え、前記第１冷却器に冷媒を流す第１冷却モードと、前記第２冷却器に冷媒を流す第２冷却モードと、前記第１冷却モードおよび前記第２冷却モードのうちの少なくとも一方の冷却モードを実行するに先立ち、前記第１冷却器及び前記第２冷却器への冷媒供給を遮断した状態で前記圧縮機を駆動するポンプダウンモードとを実行する冷凍サイクル装置において、前記ポンプダウンモードにおける前記圧縮機の運転周波数を、当該ポンプダウンモードに移行する直前の前記圧縮機の運転周波数より大きく設定する。
【図面の簡単な説明】
【０００９】
【図１】第１実施形態の冷蔵庫全体の概略構成を示す縦断面図である。
【図２】第１実施形態の冷蔵庫における冷凍サイクル装置を示す模式図である。
【図３】第１実施形態の圧縮機の運転制御機構のブロック図である。
【発明を実施するための形態】
【００１０】
（第１実施形態）
以下、実施形態を図面に基づき説明する。冷蔵庫１の概略的な全体構成を示す図１に示すように、冷蔵庫本体２は鋼板製の外箱２ａと真空成形により設けられる合成樹脂製の内箱２ｂとの間隙にウレタンフォームなどの断熱材２ｃを発泡充填し、前面を開口し内部を貯蔵空間とした縦長の断熱箱体からなり、貯蔵空間を上方の冷蔵貯蔵空間と下方の冷凍貯蔵空間に断熱区画している。
【００１１】
単一の内箱２ｂで形成された冷蔵貯蔵空間には、複数の載置棚を設けた冷蔵室３と貯蔵容器である下部ケースと上部ケースを備えた野菜室４とを隣接状態で上下に区分配置している。
【００１２】
野菜室４の下方には断熱壁を介して自動製氷装置と貯氷箱を設けた製氷室５と、図示しない小冷凍室とを左右に併置するとともに、最下段には、貯蔵容器である下部ケースと上部ケースを備えた主冷凍室６を配置して、−１８℃〜−２０℃に冷却保持する冷凍貯蔵空間としている。
【００１３】
前記各貯蔵室の前面開口部は各々独立した断熱扉で閉塞されており、冷蔵室３の前面開口部は左右両側の上下部に設けたヒンジにより観音開き式の冷蔵室扉３ａが回動自在に支持されている。野菜室４および製氷室５と小冷凍室、主冷凍室６は、貯蔵容器を引き出し式の扉４ａ、５ａ、６ａに連結保持し、貯蔵室内に設けたレール機構により引き出し式で閉塞されている。また、冷蔵室扉３ａの前面中央には操作パネル７と外気温センサ８を設置している。
【００１４】
冷蔵室３と野菜室４に跨る冷蔵貯蔵空間の背部には、冷蔵用冷却器（第１冷却器）１０と冷蔵用送風機１１が配設されるとともに、冷気ダクト１２と冷却器カバー１３と送風機カバー１４によって冷却貯蔵室内と区画している。また、製氷室５や小冷凍室および主冷凍室６の背面にわたっては、冷凍用冷却器（第２冷却器）１５と冷凍用送風機１６が配設され、冷気ダクトを形成するカバー体１７によって冷却貯蔵室内と区画している。
【００１５】
なお、冷蔵用冷却器１０の除霜は、冷蔵用冷却器１０への冷媒の流入を停止させた状態で、冷蔵用送風機１１を運転することで、冷蔵室３並びに野菜室４の０℃以上の温度の空気を循環させて行う。
【００１６】
また、冷凍用冷却器１５の下方には、除霜ヒータ１８と除霜水を受ける排水樋が配設される。冷凍用冷却器１５の除霜は、除霜ヒータ１８による輻射熱で冷凍用冷却器１５を加熱することで行う。この時、融解した除霜水は排水樋により、外部に排出される。
【００１７】
冷蔵庫本体２の背面下部の外側には内方に凹陥する機械室１９を形成し、冷凍サイクル装置の一環をなす圧縮機２０や凝縮器２１、冷却ファン２００、除霜水を蒸発させる蒸発皿２２を配設している。圧縮機２０は、例えば、インバータ制御により運転周波数（１秒間当りの回転数）を可変速で駆動される能力可変型の圧縮機で構成されている。
【００１８】
冷蔵庫１の冷凍サイクル装置は、図２に示すように、高温高圧の冷媒ガスを吐出する圧縮機２０と、該圧縮機２０から吐出される冷媒ガスを受けて放熱液化する凝縮器２１と、該凝縮器２１の出口側に放熱パイプ２８を介して接続され冷媒流路を切り替える切替弁２９と、冷蔵用冷却器１０及び冷凍用冷却器１５と、これらの冷却器１０，１５にそれぞれ設けられた冷蔵減圧装置３０及び冷凍減圧装置３１とを備え、これらを配管で接続して構成されている。
【００１９】
詳細には、圧縮機２０と凝縮器２１と放熱パイプ２８と切替弁２９の入口側が直列に接続されている。切替弁２９の一方の出口には、第１減圧装置３０と第１冷却器１０とを直列に連結した第１冷媒流路が接続され、切替弁２９の他方の出口には、第２減圧装置３１と第２冷却器１５とを直列に連結した第２冷媒流路が第１冷媒流路と並列に接続されている。そして、冷蔵用冷却器１０の出口側に接続された配管と冷凍用冷却器１５の出口側に接続された配管とが合流し、圧縮機２０の吸込側に接続され冷媒回路が構成されている。
【００２０】
このような冷凍サイクル装置では、サイクル内に封入された冷媒が、圧縮機２０で圧縮されて高温高圧の気体状の冷媒に変化し、放熱しながら凝縮器２１及び放熱パイプ２８を流れる。
【００２１】
放熱パイプ２８を流れた液体状の冷媒は、機械室１９に位置する切替弁２９に導かれ、制御装置２３の指令に基づき、この切替弁２９によって冷蔵減圧装置３０と冷凍減圧装置３１に切り替えて供給され、各減圧装置３０、３１で気化し易いように減圧される。減圧装置３０、３１を通過することで減圧され液状となった冷媒は、冷蔵用冷却器１０又は冷凍用冷却器１５で気化し、周囲から熱を奪うことにより冷蔵用冷却器１０及び冷凍用冷却器１５を低温化し、冷気を生成して貯蔵空間を冷却する。冷却器１０，１５を通過したガス冷媒は、サクションパイプ３２を通って再び圧縮機２０に吸入され、一連の冷凍サイクルが繰り返される。
【００２２】
そして、上記構成の冷凍サイクル装置は、冷蔵庫本体２の上部に設けられた制御装置２３により制御される。
この制御装置２３には、図３に示すように、外気温センサ８からの検出信号と、冷蔵室３、主冷凍室６の各室内に設けた庫内温度センサ２４、２６からの検出信号と、冷凍用冷却器１５の上流側及び下流側に設けた冷却器温度センサ３６，３７からの検出信号と、冷蔵室扉３ａの前面に設置した操作パネル７への使用者の操作による冷却モードの切換えなどの信号が入力され、事前に備えた制御プログラムに基づき、圧縮機２０、冷蔵用送風機１１、冷凍用送風機１６及び冷却ファン２００の運転や、切替弁２９による冷蔵用冷却器１０と冷凍用冷却器１５への冷媒切換え、操作パネル７の表示などの制御を行う。
【００２３】
制御装置２３は、その制御プログラムにしたがって切替弁２９を切り替えることにより冷蔵用冷却器１０に冷媒を流しつつ冷蔵用送風機１１を運転させて冷蔵室３及び野菜室４からなる冷蔵貯蔵空間を冷却する冷蔵冷却モードと、冷凍用冷却器１５に冷媒を流しつつ冷凍用送風機１６を運転させて製氷室５、小冷凍室及び主冷凍室６からなる冷凍貯蔵空間を冷却する冷凍冷却モードとを交互に切替えながら冷却運転を実行する。これにより、冷蔵貯蔵空間と冷凍貯蔵空間とが交互に冷却されながら、全ての貯蔵室３，４，５，６内の温度が設定温度付近に維持される。
【００２４】
具体的には、冷蔵貯蔵空間及び冷凍貯蔵空間に対してそれぞれＯＮ温度とＯＦＦ温度が設定されており、制御装置２３は、庫内温度センサ２４の検出温度が冷蔵貯蔵空間に対して設定されているＯＮ温度になると冷蔵冷却モードを開始し、冷蔵貯蔵空間に対して設定されているＯＦＦ温度になると冷蔵冷却モードを終了する。冷蔵冷却モードにおける圧縮機２０の運転周波数は、制御装置２３により庫内温度センサ２４の検出温度と冷却目標温度（例えば、２℃）との差に応じた値に定められる。
【００２５】
また、制御装置２３は、庫内温度センサ２６の検出温度が冷凍貯蔵空間に対して設定されているＯＮ温度になると冷凍冷却モードを開始し、冷凍貯蔵空間に対して設定されているＯＦＦ温度になると冷凍冷却モードを終了する。冷凍冷却モードにおける圧縮機２０の運転周波数は、制御装置２３により庫内温度センサ２６の検出温度と冷却目標温度（例えば、−２１℃）との差に応じた値に定められる。
【００２６】
ＯＮ温度、ＯＦＦ温度の一例を挙げると、冷蔵貯蔵空間について、ＯＮ温度が５℃、ＯＦＦ温度が２℃に設定され、冷凍貯蔵空間について、ＯＮ温度が−１８℃、ＯＦＦ温度が−２１℃に設定されている。そして、冷蔵冷却モードおよび冷凍冷却モードは、それぞれ最低冷却時間（例えば冷蔵冷却モードでは２０分、冷凍冷却モードでは３０分）を行った後に、（１）冷却中の貯蔵空間の検出温度がＯＦＦ温度に達した時、（２）モード切替えから最長冷却時間（例えば冷蔵冷却モードでは４０分、冷凍冷却モードでは６０分）以上が経過した時、（３）冷却対象となっていない貯蔵空間の検出温度がＯＮ温度以上になった時、のいずれかの場合に終了される。圧縮機２０は、常時駆動が原則であるが、貯蔵空間の温度が双方ともＯＦＦ温度以下であり、ＰＩＤ計算がある一定値以下になったときに停止される。
【００２７】
また、本実施形態の冷蔵庫１では、制御装置３２が、冷凍冷却モードの実行後に、冷蔵冷却モードを実行するに際し、切替弁２９の冷蔵用冷却器１０側及び冷凍用冷却器１５側の出口をいずれも閉止し、冷蔵用冷却器１０及び冷凍用冷却器１５への冷媒供給を遮断した状態で圧縮機２０を駆動するポンプダウンモードを前もって実行し、その後に冷蔵冷却モードに移行させるようになっている。
【００２８】
制御装置２３は、圧縮機２０の運転周波数を記憶するメモリ（不図示）を備え、ポンプダウンモードの実行に際し、ポンプダウンモードに移行する直前の圧縮機２０の運転周波数、つまり、冷凍冷却モードにおける最終の圧縮機２０の運転周波数をメモリから読み込み、ポンプダウンモードでの圧縮機２０の運転周波数Ｆを、直前の冷凍冷却モードでの圧縮機２０の運転周波数Ｆ０より所定周波数ΔＦ（例えばΔＦ＝１０Ｈｚ）だけ大きく設定する。
【００２９】
具体例を挙げるとポンプダウンモードに移行する直前の圧縮機２０の運転周波数Ｆ０が２０Ｈｚの場合に圧縮機２０の運転周波数Ｆを４０Ｈｚに設定し、運転周波数Ｆ０が３０Ｈｚの場合に圧縮機２０の運転周波数Ｆを５０Ｈｚに設定し、１分間ポンプダウンモードを実行する。そして、制御装置２３は、ポンプダウンモードを所定時間実行するとポンプダウンモードを終了して冷蔵冷却モードを開始する。
【００３０】
このようなポンプダウンモードを実行することによって、冷凍用冷却器１５に滞留する冷媒を回収し、冷蔵冷却モードに移行直後から適量の冷媒を冷蔵用冷却器１０に供給することができる。
【００３１】
しかも、ポンプダウンモードにおいて圧縮機の運転周波数が、ポンプダウンモードに移行する直前の圧縮機２０の運転周波数より大きく設定されているため、単位時間あたりの冷媒回収量が多くなり、冷却に寄与しないポンプダウンの実行時間を短縮することができ、効率的な省エネルギー運転が可能となる。
【００３２】
（第２実施形態）
第1実施形態では、直前の冷凍冷却モードでの圧縮機２０の運転周波数Ｆ０より所定周波数ΔＦだけ大きく設定して、ポンプダウンモードでの圧縮機２０の運転周波数Ｆを決定するにあたり、所定周波数ΔＦを一定値に設定したが、第２実施形態では、冷凍サイクル装置の状態を検出するセンサの検出結果に応じて所定周波数ΔＦの大きさを変更し、ポンプダウンモードにおける圧縮機の運転周波数Ｆを設定する。
【００３３】
具体的には、冷凍用冷却器１５の上流側に設けた冷却器温度センサ３６の検出温度と、下流側に設けた冷却器温度センサ３７の検出温度の温度差が大きいほど所定周波数ΔＦを大きく設定し、ポンプダウンモードにおける圧縮機２０の運転周波数Ｆを大きく設定する。
【００３４】
ポンプダウンモードに移行する直前の圧縮機２０の運転周波数が同じでも、ポンプダウンモード前の運転状況により冷凍サイクル内を循環する冷媒の密度等が異なるため、冷凍用冷却器１５に滞留する冷媒量が異なることもあるが、本実施形態では、冷凍用冷却器１５の上流側及び下流側に設けた冷却器温度センサ３６、３７の検出温度からポンプダウンモードにおける圧縮機２０の運転周波数Ｆを決定するため、冷凍サイクル装置の状態に応じた運転周波数に設定することができる。
【００３５】
なお、本実施形態では、冷凍用冷却器１５の上流側及び下流側に設けた冷却器温度センサ３６、３７の検出温度から冷凍サイクル装置の状態を検出したが、例えば、庫内温度センサ２４で検出された冷蔵貯蔵空間の検出温度が高いほど所定周波数ΔＦを大きく設定したり、あるいは、外気温センサ８で検出された冷蔵庫１の設置雰囲気の温度（庫外温度）が高いほど所定周波数ΔＦを大きく設定してもよく、これらの場合であっても、冷凍サイクル装置の状態に応じた運転周波数に設定することができる。
【００３６】
第２実施形態について、その他の構成及び作用効果は第１実施形態と同じであり、説明は省略する。
【００３７】
（第３実施形態）
第１実施形態では、ポンプダウンモードでの圧縮機２０の運転周波数Ｆとして、ポンプダウンモードに移行する直前の圧縮機２０の運転周波数Ｆ０より所定周波数ΔＦだけ大きい運転周波数に設定したが、本実施形態では、ポンプダウンモードでの圧縮機２０の運転周波数Ｆが、ポンプダウンモードに移行する所定時間前（例えば１時間前）から当該ポンプダウンモードに移行する直前までに設定された圧縮機の運転周波数の最大値Ｆｍａｘより所定周波数ΔＦだけ大きい運転周波数に設定する。
【００３８】
ポンプダウンモードに移行する直前の圧縮機２０の運転周波数が同じでも、ポンプダウンモード前の運転状況により冷凍サイクル内を循環する冷媒の密度等が異なるため、冷凍用冷却器１５に滞留する冷媒量が異なることもあるが、本実施形態では、ポンプダウンモードに移行する所定時間前（例えば１時間前）から当該ポンプダウンモードに移行する直前までに設定された圧縮機の運転周波数を考慮してポンプダウンモードにおける運転周波数Ｆを決定するため、運転状況に応じた運転周波数に設定することができる。
【００３９】
第３実施形態について、その他の構成及び作用効果は第１実施形態と同じであり、説明は省略する。
【００４０】
（第４実施形態）
上記した第１〜第３実施形態では、冷凍冷却モードの実行後、ポンプダウンモードを実行してから冷蔵冷却モードを実行したが、本実施形態は、圧縮機の運転周波数が、所定時間継続して所定周波数以下の場合に限って、冷凍冷却モードの実行後、ポンプダウンモードを実行してから冷蔵冷却モードを実行し、所定時間継続して所定周波数以下と成らなければ、冷凍冷却モードの実行後、ポンプダウンモードを実行せずに冷蔵冷却モードを実行する。
【００４１】
本実施形態では、圧縮機の運転周波数を大きくすることでポンプダウンの実行時間を短縮しやすい冷凍サイクル装置の低負荷状態に限ってポンプダウンモードを実行することができ、効率的な省エネルギー運転が可能となる。
【００４２】
第４実施形態について、その他の構成及び作用効果は第１実施形態と同じであり、説明は省略する。
【００４３】
（他の実施形態）
本発明は以上の実施形態に限定されるものではなく、以下のように変形あるいは拡張しても良い。
【００４４】
ポンプダウンモードは、冷凍冷却モードから冷蔵冷却モードに切替える際に、冷蔵冷却モードの実行に先立って行うことに加えて、冷蔵冷却モードから冷凍冷却モードに切替える際に、冷凍冷却モードの実行に先立って行うようにしても良い。これにより、冷凍貯蔵空間の冷却を行う際においても、必要な冷媒量を冷蔵用冷却器から回収することができる。
【００４５】
また、本発明は、家庭用の冷蔵庫に限らず業務用の冷蔵庫や、冷凍倉庫、自動販売機、空気調和機などにおける冷凍サイクル装置にも適用することができる。
【００４６】
以上、本発明の実施形態を説明したが、これらの実施形態は例として提示したものであり、発明の範囲を限定することを意図していない。これらの実施形態は、その他の様々な形態で実施されることが可能であり、発明の趣旨を逸脱しない範囲で、種々の省略、置き換え、変更を行うことができる。これらの実施形態やその変形は、発明の範囲や要旨に含まれると同様に、特許請求の範囲に記載された発明とその均等の範囲に含まれるものである。
【符号の説明】
【００４７】
１…冷蔵庫、２…冷蔵庫本体、２ａ…外箱、２ｂ…内箱、２ｃ…断熱材、３…冷蔵室、３ａ…冷蔵室扉、４…野菜室、４ａ…扉、５…製氷室、６…主冷凍室、７…操作パネル、８…外気温センサ、１０…冷蔵用冷却器、１１…冷蔵用送風機、１２…冷気ダクト、１３…冷却器カバー、１４…送風機カバー、１５…冷凍用冷却器、１６…冷凍用送風機、１７…カバー体、１８…除霜ヒータ、１９…機械室、２０…圧縮機、２１…凝縮器、２２…蒸発皿、２３…制御装置、２４…庫内温度センサ、２６…庫内温度センサ、２７…蒸発パイプ、２８…放熱パイプ、２９…切替弁、３０…第１減圧装置、３１…第２減圧装置、３２…サクションパイプ、３６…冷却器温度センサ、３７…冷却器温度センサ、２００…冷却ファン
【図１】
2016050753.tif 000003
【図２】
2016050753.tif 000004
【図３】
2016050753.tif 000005